(57)【要約】【課題】紐靴を着用してのサイクリングやツーリングの最中に雨が降っても、簡単に素早く装着できると共に、靴紐部からの雨水の浸入を完全に防止することが可能な紐靴の防水具を提供することである。【解決手段】つま先部から足首に向けて押込むように装着すると共に、つま先部に係止する比較的硬質の袋状前端部材と、靴の甲を覆う軟質のカバー本体部材と、前記カバー本体部の下側に、靴紐部の下をつま先部から足首部に向かう方向に差し込む比較的硬質の係止部材とを備えると共に、カバー本体部材に靴紐を挿通する孔を設けた。【選択図】　　図１
2004057432.tif 000002
【特許請求の範囲】
【請求項１】
紐靴を着用した人のつま先部から足首に向けて押込むように装着して靴の甲部分を覆い、靴紐部からの雨水の浸入を防止するカバー状の防水具であって、
つま先部に係止する比較的硬質の袋状前端部材と、
靴の甲部分を覆う軟質のカバー本体部材と、
前記カバー本体部の下側に、靴紐部の下をつま先部から足首部に向かう方向に差し込む比較的硬質の係止部材とを備えることを特徴とする紐靴の防水具。
【請求項２】
前記カバー本体部材に靴紐を挿通する孔部を設けたことを特徴とする請求項１に記載の紐靴の防水具。
【請求項３】
前記孔部が周囲より盛り上がった山状あるいは肉厚状に形成されていることを特徴とする請求項２に記載の紐靴の防水具。
【請求項４】
前記カバー本体部材が靴紐部の全体を覆う程の長さであると共に、前記孔部から挿通する靴紐を覆うように折り返し形状であると共に、折り返された端部を保持する保持部材を配設したことを特徴とする請求項１から３のいずれかに記載の紐靴の防水具。
【請求項５】
前記保持部材が、該防水具を靴に着脱する際の把手部ともなることを特徴とする請求項４に記載の紐靴の防水具。
【請求項６】
前記カバー本体部材が靴紐部を覆う程度の長さであると共に、後端部の外縁に雨水の案内経路となる段差を設けたことを特徴とする請求項１から５のいずれかに記載の紐靴の防水具。
【発明の詳細な説明】
【０００１】
【発明の属する技術分野】
本発明は、運動靴等の紐靴（特に短靴）の靴紐部から靴の内部へ、雨水等が浸入することを防止する防水具に係り、さらに詳しくは、雨中に自転車やオートバイ等の走行時に、靴紐部から内部へ雨水が浸入するのを防止する紐靴の防水具に関するものである。
【０００２】
【従来の技術】
従来、自転車やオートバイに乗ってサイクリングやツーリングを行う際には、比較的軽量で且つ、動き易い運動靴等の紐靴を装着している。
【０００３】
また、紐靴を着用した状態では、雨が降っている中を走行中には、降り落ちる雨水が浸入してくるし、停車時には片足を着地するという２輪車特有の性質のために、地面に溜まった雨水が浸入してくるので、雨中に遠出をする際には、長靴もしくはブーツ等を使用する必要があった。
【０００４】
特許第２７９１８７３号公報に記載された靴用カバーは、歩行中に靴紐の編み上げ部分から雨水が浸透するのを防止するために、靴の甲部分を覆うカバー本体と、装着のための止め付け手段とを有した構成とされている。
【０００５】
しかし、上記の靴用カバーは止め付け手段として、先導片を備える弾性材を使用する構成であり、一々靴紐の下を前記先導片を通していく作業が必要であった。またカバー本体部材は一様な平面状の耐水性のプラスチック成形品であって、しかも、靴紐部を完全に覆うものではない。
【０００６】
【発明が解決しようとする課題】
最近では、戸外スポーツの一環として、サイクリングやオートバイによるツーリングが盛んになってきている。これらは軽運動のひとつであり、運動靴等の紐靴を使用して行われている。
【０００７】
しかし、晴れの日はこれで構わないが、雨が降ると靴が濡れたり、また靴紐部から雨水が靴の内部に浸入してくることになる。また、サイクリングやツーリングの途中で雨が降り出すこともあり、簡単に素早く装着でき、また確実に靴紐部からの雨水の浸入を防止する靴カバーが望まれている。
【０００８】
本発明の目的は、靴紐部を有する靴において、サイクリングやツーリングの最中に雨が降っても、簡単に素早く装着できると共に、靴紐部からの雨水の浸入を完全に防止することが可能となる靴の防水具を提供することである。
【０００９】
【課題を解決するための手段】
上記の目的を達成するために請求項１に係る発明は、紐靴を着用した人のつま先部から足首に向けて押込むように装着して靴の甲部分を覆い、靴紐部からの雨水の浸入を防止するカバー状の防水具であって、つま先部に係止する比較的硬質の袋状前端部材と、靴の甲部分を覆う軟質のカバー本体部材と、前記カバー本体部の下側に、靴紐部の下をつま先部から足首部に向かう方向に差し込む比較的硬質の係止部材とを備えることを特徴としている。
【００１０】
上記の構成を有する請求項１に係る発明によれば、つま先から足首方向に向けて押込むことで簡単に装着することができ、さらに、硬質部材と軟質部材とを効果的に組み合わせた靴用の防水具を得ることができる。
【００１１】
請求項２に係る発明は、前記カバー本体部材に靴紐を挿通する孔を設けたことを特徴としている。
【００１２】
上記の構成を有する請求項２に係る発明によれば、つま先から足首方向に向けて押込むことで簡単に装着した防水具を、さらに靴紐で固定することができ、靴との密着性と堅持性を発揮することが可能となる。
【００１３】
請求項３に係る発明は、前記孔部が周囲より盛り上がった山状あるいは肉厚状に形成されていることを特徴としている。
【００１４】
上記の構成を有する請求項３に係る発明によれば、カバー本体部材に設けられた孔部から雨水が落下することはなく、靴紐部や靴内部に雨水等が浸入することはない。
【００１５】
請求項４に係る発明は、前記カバー本体部材が靴紐部の全体を覆う程の長さであると共に、前記孔から挿通する靴紐を覆うように折り返し形状であると共に、折り返された端部を保持する保持部材を配設したことを特徴とする。
【００１６】
上記の構成を有する請求項４に係る発明によれば、靴紐部全体をカバーすると共に、カバー部材の孔から引き出されて結び合わされた紐も覆うことが可能となる。
【００１７】
請求項５に係る発明は、前記保持部材が、該防水具を靴に着脱する際の把手部ともなることを特徴としている。
【００１８】
上記の構成を有する請求項３に係る発明によれば、保持部材を把持することでさらに容易に装着し取り外すことができる。
【００１９】
請求項６に係る発明は、前記カバー本体部材が靴紐部を覆う程度の長さであると共に、後端部の外縁に雨水の案内経路となる段差を設けたことを特徴としている。
【００２０】
上記の構成を有する請求項６に係る発明によれば、カバー本体部材を伝って流れ落ちる雨水を確実に案内することができ、靴を濡らすことがない。
【００２１】
【発明の実施の形態】
以下、本発明に係る靴の防水具の実施の形態について、図１から図６に基づいて説明する。
【００２２】
図１は本発明に係る紐靴の防水具を装着した靴を示す斜視図である。図２は本発明に係る紐靴の防水具の断面図を示し、（ａ）は全体断面図であり、（ｂ）および（ｃ）は孔部の拡大断面図である。図３は本発明に係る紐靴の防水具を裏側から見た斜視図であり、図４は（ａ）に全体側面図を示し、（ｂ）は外縁部形状を示す一部断面図である。図５には係止部材１ｂの先端形状の代表例を示す斜視図を示し、図６にはその他の機能を付加した紐靴の防水具を示す斜視図を示す。
【００２３】
図１に示す紐靴の防水具１は紐靴１０の靴紐部を含む前半分を覆うカバー部材であり、カバー本体部材１ａと、係止部材１ｂと、保持部材１ｃとから構成されている。カバー本体部材１ａは軟質のカバー部材であるが、つま先部分である袋状前端部材１ｆ及び前端底板１ｇはその形状を維持するために比較的硬質であることが望ましい。
【００２４】
紐靴の防水具１を紐靴１０に装着する際には、カバー本体部材１ａを把持して、紐靴１０のつま先の方から足首の方向へ押込むようにすればよい。さらには、本体カバー部材１ａから突出して設けられている保持部材１ｃを把持して装着してもよい。
【００２５】
図２および図３に示すように、靴紐１１の下側１１ａに係止部材１ｂを差し込んで、袋状前端部材１ｆを紐靴１０のつま先部１２に装着する。この時つま先部１２には前端底板１ｇが係止し、簡単にはずり落ちない構成となっている。さらに、靴紐１１を孔部１ｄから引き出して結び合わせることで、紐靴の防水具１と紐靴１０とを固定することができる。
【００２６】
紐靴１０のつま先部１２の下部に差し込む前端底板１ｇの先端形状は、図中に示すようにテーパ状とし、差し込み易い形状とすることが望ましい。
【００２７】
係止部材１ｂは、靴紐１１の下側１１ａに差し込み易く、また、抜け難くするために図５に示す形状を採用することが好適である。図５（ａ）には、先端部が断面円弧状の膨出部を形成した係止部材１ｂａを示し、図５（ｂ）はさらに靴紐１１に接する部分に波打ち状突出部を設けた係止部材１ｂｂを示す。また、図５（ｃ）には先端部が断面鉤型状の膨出部を形成した係止部材１ｂｃを示し、図５（ｄ）はさらに靴紐１１に接する部分に鉤型状突出部を設けた係止部材１ｂｄを示す。
【００２８】
係止部材１ｂの形状は、靴紐１１の下側１１ａに差し込み易く、また、抜け難い形状であればよく、上記に示した形状には限定されず、その他の形状、例えば表面を粗くして摩擦抵抗を大きくしたものでもよい。
【００２９】
前端底板１ｇを有する袋状前端部材１ｆを差し込むだけで、紐靴の防水具１を装着し、サイクリングやツーリングに使用することが可能であるが、孔部１ｄから引き出した靴紐１１を結び合わせることで、歩行時や登山時にも使用することができる程度に確実に固定することのできる防水具を得ることができる。
【００３０】
また、孔部１ｄから靴紐１１を引き出して結んだ後で、折り返し端部１ｅを結び目を覆うように折り返して保持部材１ｃに挿通する。こうすることで、結び目を含む靴紐部全体を被覆することができ、靴紐部からの雨水の浸入を完全に防止することができる。
【００３１】
カバー状本体部１ａは、足を動かした際に変形する紐靴１０に密着するように、柔軟性を有する比較的軟質な材料であることが望ましい。そのために本実施例においては、軟質の合成皮革を採用したが、材質はその他の軟質プラスチック材料でもよく、特に限定するものではない。ただし、材料の表面に、テフロン加工やフッ素樹脂加工等を施して撥水性を持たせるようにすると、さらに、雨水等の浸入を防止することが可能となり好適である。
【００３２】
また、袋状前端部材１ｆ特に前端底板１ｇと係止部材１ｂとは比較的硬質な材料であることが好ましい。そのために本実施例では硬質プラスチックを採用した。それは、靴紐１１の下側１１ａに係止部材１ｂを差し込む際に、比較的硬いほうが通し易いからである。また、保持部材１ｃも比較的硬質な材料で製造することが好ましい。これは紐靴の防水具１を装着した後で、折り返し端部１ｅを差し込んで形成する構成のためである。ただし、保持部材１ｃは軟質な材料でもよく、折り返し端部１ｅを装着できる程の隙間を設けた形状であればよい。
【００３３】
保持部材１ｃはカバー本体部材１ａの外表面から突出した形状であるので、該保持部材１ｃを把持して紐靴の防水具１を紐靴１０から脱着することができる。保持部材１ｃの材質は硬質でも軟質でも構わない。軟質であれば、折り返し端部１ｅを差し込む隙間に指を差し込んで把持することができ、硬質であれば、保持部材１ｃ自体を指で挟み込むことで紐靴の防水具１全体を把持することができるからである。
【００３４】
孔部１ｄは図２（ｂ）に示すように、少し盛り上がった凸形状１ｄａとするのが好適である。この形状の場合には、周囲の雨水が孔部１ｄから遠ざかる方へ流れていくので、雨水が該孔部１ｄから靴の中へ浸入することをさらに防止することができる。また、図２（ｃ）に示すように別部材１ｄｂを張り合わせて肉厚の孔部を形成してもよい。いずれの方法によっても、孔部１ｄが周囲よりも高くなり、周囲を流れる雨水が該孔部１ｄから遠ざかると共に、孔部１ｄが肉厚となるので、孔が補強されることになって、繰り返し靴紐を挿通しても、靴紐を繰り返し結んだり解いたりしても破れることもなく、耐久性に優れた靴の防水具とすることができる。
【００３５】
図４（ａ）に示す外縁部２は雨水の流れを規制する段差であり、サイクリングやツーリングの時に、紐靴の防水具１の表面を流れ落ちる雨水を矢印Ｂ方向に流す役目を有する。段差のない外縁部であれば、雨水は破線で示す矢印Ｃ方向に流れ落ちて、靴の方へ向かう流れとなる。段差を設けた外縁部２であれば、流れ落ちる雨水は矢印Ａ方向に流れて、紐靴１０を余分に濡らすことがない。
【００３６】
外縁部２の段差形状の一例を、Ａ−Ａ断面である図４（ｂ）に示すように、山形に盛り上がった形状とした。しかし、流れる雨水を堰き止める形状であればよく、図示したような山形形状には係らず、その他の雨水の流れを規制する形状、例えば壁状のものでもよい。また、該段差はカバー本体部材１ａと一体的に形成されたものでもよいし、別体の部材を張り合わせて壁を形成してもよい。
【００３７】
本発明に係る紐靴の防水具を使用すると、靴紐を有する運動靴やスニーカー等を着用して、外出あるいはサイクリングやツーリングを行う際に、急に雨に降られても、靴の内部への雨水等の浸入を防止する防水具を簡単に装着することができる。また、カバー本体部材１ａを比較的軟質の材質で製造するので、靴の形状変化に対応する柔軟性を有しており、足の運動を妨げることはない。
【００３８】
さらには、図６に示すように、オートバイのクラッチペダルに係合する部分に保護パッド３を配設あるいは貼付可能とした紐靴の防水具１としてもよい。また、側部に反射板４を配設して夜間のサイクリングやツーリング時の安全性を向上させる構成としてもよい。
【００３９】
カバー本体部材１ａの色を種々用意しておき、カラーバリエーションを持たせておくだけでなく、カバー本体部材１ａの色とは別色の保持部材１ｃや保護パッド３とし、アクセントを持たせ、アウトドアに好適な紐靴の防水具１としてもよい。
【００４０】
【発明の効果】
請求項１に記載の発明によれば、つま先部から足首に向けて押込むように装着するカバー状の防水具であって、つま先部に係止する比較的硬質の袋状前端部材と、靴の甲部分を覆う軟質のカバー本体部材と、前記カバー本体部の下側に、靴紐部の下をつま先部から足首部に向かう方向に差し込む比較的硬質の係止部材とを備えるとしたので、つま先から足首方向に向けて押込むことで簡単に装着することができ、さらに、硬質部材と軟質部材とを上手に組み合わせて、適度の剛性と靴との密着性を兼ね合わせた靴用の防水具を得ることができる。
【００４１】
請求項２に係る発明によれば、前記カバー本体部材に靴紐を挿通する孔部を設けたので、つま先から足首方向に向けて押込むことで簡単に装着可能とした紐靴の防水装置を、さらに靴紐で固定することができ、靴との密着性と堅持性を発揮することができる。
【００４２】
請求項３に係る発明によれば、前記孔部が周囲より盛り上がった山状あるいは肉厚状に形成したので、カバー本体部材に設けられた孔部から雨水が落下することはなく、靴紐部や靴内部に雨水等が浸入することはない。
【００４３】
請求項４に係る発明によれば、前記カバー本体部材が靴紐部の全体を覆う程の長さであると共に、前記孔部から挿通する靴紐を覆うように折り返し形状であると共に、折り返された端部を保持する保持部材を配設したので、靴紐部全体をカバーすると共に、カバー部材の孔から引き出されて結び合わされた紐も覆うことができ、さらなる防水効果を得ることができる。
【００４４】
請求項５に係る発明によれば、前記保持部材が、該防水具を紐靴に着脱する際の把手部となるとしたことで、保持部材を把持することでさらに容易に装着し取り外すことができる。
【００４５】
請求項６に係る発明によれば、前記カバー本体部材が靴紐部を覆う程度の長さであると共に、後端部の外縁に雨水の案内経路となる段差を設けたので、カバー本体部材を伝って流れ落ちる雨水を、靴を濡らすことなく落下させるように、確実に案内することができる。
【図面の簡単な説明】
【図１】本発明に係る紐靴の防水具を装着した靴を示す斜視図である。
【図２】本発明に係る紐靴の防水具の断面図を示し、（ａ）は全体断面図であり、（ｂ）および（ｃ）は孔部の拡大断面図である。
【図３】本発明に係る紐靴の防水具を裏側から見た斜視図である。
【図４】（ａ）は本発明に係る紐靴の防水具の全体側面図を示し、（ｂ）は外縁部形状を示す一部断面図である。
【図５】係止部材１ｂの先端形状の代表例を示す斜視図であり、（ａ）は先端部が断面円弧状の膨出部を形成した係止部材、（ｂ）はさらに靴紐１１に接する部分に波打ち状突出部を設けた係止部材であり、（ｃ）は先端部が断面鉤型状の膨出部を形成した係止部材であり、（ｄ）はさらに靴紐１１に接する部分に鉤型状突出部を設けた係止部材である。
【図６】その他の機能を付加した紐靴の防水具を示す斜視図である。
【符号の説明】
１　紐靴の防水具
１ａ　カバー本体部材
１ｂ　係止部材
１ｃ　保持部材
１ｄ　孔部
１ｄａ　凸形状
１ｄｂ　別部材
１ｅ　折り返し端部
１ｆ　袋状前端部材
１ｇ　前端底板
２　外縁部
１０　紐靴
１１　靴紐
１１ａ　靴紐の下側
１２　つま先部
【図１】
2004057432.tif 000003
【図２】
2004057432.tif 000004
【図３】
2004057432.tif 000005
【図４】
2004057432.tif 000006
【図５】
2004057432.tif 000007
【図６】
2004057432.tif 000008